(57)【要約】【課題】タッチスイッチの誤作動を抑制することがきるタッチスイッチ、タッチパネルを得る。【解決手段】タッチスイッチ５２には、誘電体である指先Ｆ等がタッチスイッチ５２に近接した際に帯電量が変化（出力信号が変化）する近接センサ６２が配置されている。このため、例えば、誤って、誘電体ではない部材で、タッチスイッチ５２における検出シート１２の表面を押圧した際に、タッチスイッチの誤作動を抑制することができる。【選択図】図１
2015118737.tif 000002
【特許請求の範囲】
【請求項１】
第一基板と、
前記第一基板と対向する第二基板と、
前記第一基板及び前記第二基板の一方に基端が固定され、前記第一基板及び前記第二基板の他方に向けて突出する突出部材と、
前記第一基板及び前記第二基板の他方に形成され、前記第一基板の板面を押圧した状態で、前記突出部材と接触して通電する通電部材と、
誘電体である指示体が前記第一基板に近接すると出力信号が変わる近接センサと、
を備えるタッチスイッチ。
【請求項２】
前記第一基板の板厚方向から見て前記突出部材の周囲に複数配置され、前記第一基板及び前記第二基板の他方に形成される通電部材と前記突出部材との間に隙間を形成する隙間形成部材を備える請求項１に記載のタッチスイッチ。
【請求項３】
第一基板を区画することで設けられ、請求項１又は２に記載のタッチスイッチが配置されるスイッチ領域と、
第一基板を区画することで前記スイッチ領域とは異なる位置に設けられ、前記第一基板の板面に指示体が近接したことが静電容量の変化、又は抵抗値の変化で検出される検出領域と、
を備えるタッチパネル。
【請求項４】
前記スイッチ領域における前記第一基板の板厚は、前記検出領域における前記第一基板の板厚と比して、薄い請求項３に記載のタッチパネル。
【発明の詳細な説明】
【技術分野】
【０００１】
本発明は、タッチスイッチ、及びこのタッチスイッチを備えるタッチパネルに関する。
【背景技術】
【０００２】
特許文献１に記載のタッチパネルには、ユーザの指がタッチパネルに触れていない状態でも、タッチパネルへの指の近接を検知する近接検出部が接続されている。近接検出部は、タッチパネルの一方の抵抗膜及び他方の抵抗膜とグラウンドとの間に生じる静電容量を基にタッチパネルへの指の近接を検知するようになっている。
【先行技術文献】
【特許文献】
【０００３】
【特許文献１】特開２０１０−２３１５６５号公報
【発明の概要】
【発明が解決しようとする課題】
【０００４】
しかし、従来のタッチパネルは、オン―オフのみを入力するスイッチではないため、このタッチパネルをタッチスイッチとして用いた場合に、オン―オフのみを入力するスイッチを誤作動してしまうことが考えられる。
【０００５】
本発明の課題は、タッチスイッチの誤作動を抑制することである。
【課題を解決するための手段】
【０００６】
本発明の請求項１に係るタッチスイッチは、第一基板と、前記第一基板と対向する第二基板と、前記第一基板及び前記第二基板の一方に基端が固定され、前記第一基板及び前記第二基板の他方に向けて突出する突出部材と、前記第一基板及び前記第二基板の他方に形成され、前記第一基板の板面を押圧した状態で、前記突出部材と接触して通電する通電部材と、誘電体である指示体が前記第一基板に近接すると出力信号が変わる近接センサと、を備えることを特徴とする。
【０００７】
上記構成によれば、誘電体である指示体がタッチスイッチに近接すると近接センサの出力信号が変わる。さらに、第一基板の板面を指示体で押圧することで、突出部材と、第一基板及び第二基板の他方に形成される通電部材とが接触し、突出部材と通電部材とが通電する。
【０００８】
このため、近接センサの出力信号が変わり、かつ、突出部材と通電部材とが通電した際に、所定の機能を有効又は無効にする。この場合に、例えば、誤って、非誘電体の部材で、第一基板の板面を押圧した際に、タッチスイッチの誤作動を抑制することができる。
【０００９】
本発明の請求項２に係るタッチスイッチは、請求項１に記載のタッチスイッチにおいて、前記第一基板の板厚方向から見て前記突出部材の周囲に複数配置され、前記第一基板及び前記第二基板の他方に形成される通電部材と前記突出部材との間に隙間を形成する隙間形成部材を備えることを特徴とする。
【００１０】
上記構成によれば、隙間形成部材が、第一基板の板厚方向から見て突出部材の周囲に配置されている。これにより、第一基板及び第二基板の他方に形成される通電部材と突出部材との間の隙間の寸法を、所定の値にすることができる。
【００１１】
本発明の請求項３に係るタッチパネルは、第一基板を区画することで設けられ、請求項１又は２に記載のタッチスイッチが配置されるスイッチ領域と、第一基板を区画することで前記スイッチ領域とは異なる位置に設けられ、前記第一基板の板面に指示体が近接したことが静電容量の変化、又は抵抗値の変化で検出される検出領域と、を備えることを特徴とする。
【００１２】
上記構成によれば、タッチパネルには、第一基板の板面に指示体が近接したことが静電容量の変化、又は抵抗値の変化で検出される検出領域と、請求項１又は２に記載のタッチスイッチが配置されるスイッチ領域と、が備えられている。
【００１３】
このように、タッチスイッチをタッチパネルに付加することで、スイッチを別途設けた場合に比して、部品点数を削減することができる。
【００１４】
本発明の請求項４に係るタッチパネルは、請求項３に記載のタッチパネルにおいて、前記スイッチ領域における前記第一基板の板厚は、前記検出領域における前記第一基板の板厚と比して、薄いことを特徴とする。
【００１５】
上記構成によれば、スイッチ領域における第一基板の板厚は、検出領域における第一基板の板厚と比して、薄い。
【００１６】
例えば、検出領域では、第一基板の板面に指示体が近接したことが静電容量の変化で検出される場合に、指示体が第一基板に近接しても第一基板が変形するのを抑制することができる。また、スイッチ領域に配置されるタッチスイッチにおいては、第一基板の板面を指示体で押圧することで、容易に突出部材と、第一基板及び第二基板の他方に形成される通電部材とを接触させることができる。
【発明の効果】
【００１７】
本発明によれば、タッチスイッチが誤作動するのを抑制することができる。
【図面の簡単な説明】
【００１８】
【図１】本発明の実施形態に係るタッチパネルに備えられるタッチスイッチを示した断面図である。
【図２】本発明の実施形態に係るタッチパネルに備えられるタッチスイッチを示した平面図である。
【図３】（Ａ）（Ｂ）本発明の実施形態に係るタッチパネルに備えられるタッチスイッチを示した断面図である。
【図４】（Ａ）（Ｂ）本発明の実施形態に係るタッチパネルに備えられる検出領域を示した断面図である。
【図５】本発明の実施形態に係るタッチパネルの検出領域を示した平面図である。
【図６】本発明の実施形態に係るタッチパネルの全体を示した平面図である。
【図７】本発明の実施形態に係るタッチパネルを示した分解斜視図である。
【発明を実施するための形態】
【００１９】
本発明の実施形態に係るタッチパネルの一例について図１〜図７に従って説明する。なお、図中に示す矢印Ｚ方向は、タッチパネルの板厚方向を示し、図中に示す矢印Ｙ方向は、Ｚ方向に対して直交し、板厚方向から見て矩形状とされるタッチパネルの長手方向を示し、図中に示す矢印Ｘ方向は、Ｚ方向及びＹ方向に直交し、タッチパネルの短手方向を示す。
【００２０】
（全体構成）
図６、図７に示されるように、本実施形態に係るタッチパネル１０は、Ｚ方向から見て矩形状とされ、ガラスシートである検出シート１２（第一基板の一例）と、検出シート１２と対向して配置される基礎シート１４（第二基板の一例）と、を備えている。そして、このタッチパネル１０が、図示せぬ液晶ディスプレイの表示画面側に取り付けられるようになっている。
【００２１】
また、タッチパネル１０には、誘電体である指先Ｆ等（指示体の一例：図３、図４参照）が検出シート１２の表面に近接して指示した指示位置を静電容量の変化によって検出する検出領域５０が、検出シート１２を区画して設けられている。さらに、タッチパネル１０には、検出シート１２の表面（板面）を押圧したことが通電することで検出する複数のタッチスイッチ５２が配置されるスイッチ領域５４が、検出シート１２を区画して検出領域５０とは異なる位置に設けられている。
【００２２】
具体的には、検出領域５０は、Ｚ方向から見て、図６に示されるように、Ｙ方向に延びる矩形状とされ、スイッチ領域５４は、検出領域５０の外側に配置され、検出領域５０の三辺と接触するように２箇所の屈曲部を有する形状とされている。これにより、検出領域５０におけるＸ方向の一方の縁辺５０Ａは、タッチパネル１０の外形の一部を構成している。
【００２３】
〔検出シート〕
検出シート１２は、光線の反射を防止する光学特性を有したコーティングが施されるガラスシート（ガラス板）である。
【００２４】
また、検出シート１２における検出領域５０の板厚は、一例として０．６〔ｍｍ〕とされ、検出シート１２におけるスイッチ領域５４の板厚は、検出領域５０の板厚に比して薄くされ、一例として０．２〔ｍｍ〕とされている。なお、検出シート１２の表面側が加工されることで、検出シート１２の板厚が変化している。例えば、ガラスシートをスリミング（化学研磨）することで、ガラスシートの板厚が変化される。
【００２５】
[検出領域]
検出領域５０における検出シート１２の裏面には、透明な樹脂（例えば、アクリル樹脂）によって樹脂層６６が形成されている（図４（Ａ）参照）。さらに、この樹脂層６６には、前述した指示位置を静電容量の変化により検出するＩＴＯ（Ｉｎｄｉｕｍ  Ｔｉｎ  Ｏｘｉｄｅ）パターン２２が形成されている。
【００２６】
ＩＴＯパターン２２は、透明導電膜であり、図５に示されるように、送信パターン２４と、受信パターン２６とを備えている。送信パターン２４は、Ｙ方向（図中左右方向）に延びると共にＸ方向（図中上下方向）に並んで複数列（本図では６列）配置され、図示せぬ電圧印加手段から電圧が印加されるようになっている。また、受信パターン２６は、Ｘ方向に延びると共にＹ方向に並んで複数列（本図では８列）配置され、接地されている。
【００２７】
夫々の送信パターン２４は、Ｙ方向に等間隔で配置される正方形状のセンシング部２４Ａと、隣なり合うセンシング部２４Ａを互いに電気的に接続する接続部２４Ｂとを備えている。
【００２８】
これに対して、夫々の受信パターン２６は、Ｘ方向に等間隔で配置されると共に周囲に配置されるセンシング部２４Ａを構成する一辺と夫々対向する四辺から構成される正方形状のセンシング部２６Ａと、隣なり合うセンシング部２６Ａを互いに電気的に接続する接続部２６Ｂとを備えている。
【００２９】
また、Ｚ方向から見で接続部２４Ｂと接続部２６Ｂとが重なる部位については、図４（Ｂ）に示されるように、接続部２４Ｂが所謂ジャンパー構造とされており、Ｚ方向で接続部２６Ｂと離間している。そして、接続部２４Ｂと接続部２６Ｂとの間には、絶縁材３０が配置されている。
【００３０】
さらに、ＩＴＯパターン２２は、図５に示されるように、検出シート１２の縁辺５０Ａ側（図中上側）に形成される複数の矩形状のパッド部３２と、このパッド部３２と送信パターン２４のセンシング部２４Ａとを電気的に接続する配線部３４とを備えている。
【００３１】
具体的には、パッド部３２は、パッド部３２Ａと、パッド部３２Ｂと、から構成されている。パッド部３２Ａは、図中上側３列の送信パターン２４においてＹ方向の一端側（図中左側）に配置されるセンシング部２４Ａと配線部３４によって接続されている。また、パッド部３２Ｂは、図中下側３列の送信パターン２４においてＸ方向の他端側（図中右側）に配置されるセンシング部２４Ａと配線部３４によって接続されている。
【００３２】
そして、パッド部３２ＡはＹ方向に並んで等間隔に配置され、パッド部３２Ｂはパッド部３２Ａと離間してＹ方向に並んで等間隔に配置されている。
【００３３】
さらに、ＩＴＯパターン２２は、検出シート１２の縁辺５０Ａ側（図中上側）に形成される複数の矩形状のパッド部３６と、このパッド部３６と各受信パターン２６においてＸ方向の端側（図中上側）に配置されるセンシング部２６Ａとを電気的に接続する配線部３８とを備えている。
【００３４】
具体的には、パッド部３６は、パッド部３２Ａとパッド部３２Ｂとの間に配置されている。そして、パッド部３６は、パッド部３２Ａ側でＹ方向に並んで等間隔に配置されるパッド部３６Ａと、パッド部３２Ｂ側でＹ方向に並んで等間隔に配置されるパッド部３６Ｂとを備えている。
【００３５】
また、パッド部３２は、図示せぬ配線を介して、センシング部２４Ａに電圧を印加するための図示せぬ電圧印加手段と接続され、パッド部３６は、図示せぬ配線を介して、接地されている。さらに、パッド部３２は、図示せぬ配線を介して、検出ＩＣ（図示省略）、及び特定部（図示省略）と接続されている。検出ＩＣは、誘電体である指先Ｆ等が検出シート１２の検出領域５０に近接して生じた静電容量の変化を検出し、特定部は、検出ＩＣの検出結果に基づいてどの位置（指示位置）の静電容量が変化したのかを特定するようになっている。
【００３６】
[スイッチ領域]
スイッチ領域５４には、図６に示されるように、検出シート１２を押圧したのが通電することで検出するタッチスイッチ５２が複数並んで配置されている。
【００３７】
夫々のタッチスイッチ５２には、タッチスイッチ５２を押圧することでどのような機能が有効又は無効になるか（ＯＮ−ＯＦＦされるか）が分かるように、アイコン（図示省略）が表示されている。また、夫々のタッチスイッチ５２は同様の構成とされている。
【００３８】
図２は、スイッチ領域５４における検出シート１２の裏面を示し、図１は、図２におけるＡ１−Ａ１線断面図を示している。
【００３９】
図１に示されるように、スイッチ領域５４における検出シート１２の裏面には、黒色層６４（ブラックマトリックス（ＢＭ））と、前述した樹脂層６６とが、この順番で重ねられている。なお、黒色層６４については、スイッチ領域５４のみに形成され、樹脂層６６については、検出シート１２の裏面全体に形成されている。また、前述したアイコンは、黒色層６４に形成されている。
【００４０】
黒色層６４は、Ｚ方向から見てタッチスイッチ５２の中央部を除いて形成されている。図示せぬ液晶ディスプレイの表示面にタッチパネル１０が取り付けられた状態で、液晶ディスプレイの光が、黒色層６４が形成されていないタッチスイッチ５２の中央部から透過し、タッチスイッチ５２の位置が容易に分かるようになっている。
【００４１】
さらに、タッチスイッチ５２の中央部には、図１、図２に示されるように、Ｚ方向から見て円状の近接センサ６２が樹脂層６６に重ねられて形成されている。
【００４２】
この近接センサ６２は、前述したＩＴＯパターン２２と同種の透明導電膜であり、図２に示されるように、配線６８を介してパッド部７０に接続されている。配線６８、及びパッド部７０は、樹脂層６６に重ねられて形成され、パッド部７０は、検出シート１２の縁辺１２Ａの近傍に配置されている。
【００４３】
そして、パッド部７０は、図示せぬ配線を介して、近接センサ６２に電圧を印加するための電圧印加手段と接続されている。さらに、パッド部７０は、図示せぬ配線を介して、前述したのとは異なる検出ＩＣ（図示省略）、及び特定部（図示省略）と接続されている。検出ＩＣは、誘電体である指先Ｆ等が近接センサ６２に近接して近接センサ６２の帯電量が変化する（出力信号が変化する）のを検出し、特定部は、検出ＩＣの検出結果に基づいてタッチスイッチ５２に誘電体である指先Ｆ等が近接したのを特定するようになっている。
【００４４】
さらに、図２に示されるように、タッチスイッチ５２には、Ｚ方向から見て、近接センサ６２を囲むように配置される突出部材の一例としてのセンサコラム７２が複数形成されている。センサコラム７２は、図１に示されるように、透明な樹脂（例えば、アクリル樹脂）によって形成される円柱部材７３と、円柱部材７３の表面に形成される導電層７４とを備えている
そして、センサコラム７２は、基端が検出シート１２に黒色層６４及び樹脂層６６を介して固定され、基礎シート１４に向けて突出する円柱状とされている。そして、導電層７４は、前述したＩＴＯパターン２２と同種の透明導電膜である。
【００４５】
この導電層７４の基端側は、樹脂層６６に重なるように形成され、図２に示されるように、Ｚ方向から見て、一部が切り欠かれたＣ字状とされ、夫々のセンサコラム７２に備えられる導電層７４は、一体的に形成されている。そして、この導電層７４は、配線７８を介してパッド部８０に接続されている。配線７８、及びパッド部８０は、樹脂層６６に重ねられて形成され、パッド部８０は、検出シート１２の縁辺１２Ａの近傍に形成されている。なお、前述したパッド部７０と近接センサ６２とを接続する配線６８は、導電層７４が切り欠かれた切欠き部７６を通って配置されることで、導電層７４と電気的に接続されないようになっている。
【００４６】
パッド部８０は、図示せぬ配線等を介して、電圧印加手段から電圧が印加されるようになっている。さらに、パッド部８０は、図示せぬ配線を介して、前述したのとは異なる検出ＩＣ（図示省略）、及び特定部（図示省略）と接続されている。検出ＩＣは、パッド部８０に印加された電圧によって生じる電流が、センサコラム７２の導電層７４を通って後述する導電層８４に流れる（通電する）のを検出するようになっている。さらに、特定部は、検出部の検出結果に基づいて、タッチスイッチ５２に形成されたセンサコラム７２の導電層７４から導電層８４に電流が流れたかを特定するようになっている。
【００４７】
さらに、パッド部８０に接続される特定部は、近接センサ６２の帯電量が変わり（出力信号が変わり）、かつ、導電層７４と導電層８４とが通電した場合に、そのタッチスイッチ５２における所定の機能を有効又は無効にするようになっている。
【００４８】
さらに、図２に示されるように、タッチスイッチ５２には、Ｚ方向から見て、近接センサ６２をセンサコラム７２の外側から囲むように配置される隙間形成部材の一例としてのスペーサコラム８２が複数形成されている。換言すれば、スペーサコラム８２は、センサコラム７２の周囲に配置されている。スペーサコラム８２は、透明な樹脂（例えば、アクリル樹脂）によって形成され、図１に示されるように、基端が検出シート１２に黒色層６４及び樹脂層６６を介して固定され、先端が基礎シート１４に導電層８４（通電部材の一例）を介して固定されている。
【００４９】
このスペーサコラム８２によって、指先Ｆ等でタッチスイッチ５２を押圧していない状態では、センサコラム７２の先端と、基礎シート１４に形成される導電層８４との間に所定の寸法（例えば、４０〔μｍ〕）の隙間が形成されるようになっている。
【００５０】
〔基礎シート〕
基礎シート１４は、一例として板厚が１．１〔ｍｍ〕のガラスシートであり、Ｚ方向から見て、検出シート１２と同様の外形とされている。また、基礎シート１４において、検出シート１２と対向する対向面１４Ａの縁部には、図１に示されるように、前述した導電層８４が形成されている。導電層８４は、前述したＩＴＯパターン２２と同種の透明導電膜であり、接地（アース）されている。
【００５１】
また、検出シート１２と対向する対向面１４Ａの周縁部には、図７に示されるように、検出シート１２と基礎シート１４との間に空隙を形成するために用いられる断面矩形状のスペーサ５８が固定されている。さらに、この対向面１４Ａには、検出領域５０とスイッチ領域５４とを仕切るために用いられる断面矩形状のスペーサ６０が備えられている。なお、スペーサ６０の断面とスペーサ５８の断面とは同様とされている。
【００５２】
（作用・効果）
次に、図示せぬ液晶ディスプレイの表示面にタッチパネル１０を取り付けた状態でのタッチパネル１０の作用について説明する。
【００５３】
先ず、検出領域５０の作用について説明する。図４（Ａ）には、検出領域５０におけるセンシング部２４Ａ及びセンシング部２６Ａを横切る断面が記載されている（図６のＢ１−Ｂ１線断面図）。
【００５４】
センシング部２４Ａには、前述したように、パッド部３２及び配線部３４等を介して図示せぬ電圧印加手段から電圧が印加されている。一方、センシング部２６Ａは、前述したように、パッド部３６及び配線部３８等を介して接地されている（図５参照）。これにより、図４（Ａ）に示されるように、隣り合うセンシング部２４Ａとセンシング部２６Ａとの間には、電界が生じる。
【００５５】
そこで、検出領域５０における検出シート１２の表面に指先Ｆを近接させると、指先Ｆとセンシング部２４Ａとの間に電界が生じ、指先Ｆが近接した部分の間の静電容量が変化する。
【００５６】
この静電容量の変化が、パッド部３２を介して接続される検出ＩＣによって検出され、さらに、特定部が検出ＩＣの検出結果に基づいてどの位置（指示位置）の静電容量が変化したのかを特定する。
【００５７】
このようにして、検出領域５０では、指先Ｆによる指示位置が静電容量の変化によって検出される。
【００５８】
次に、スイッチ領域５４に備えられるタッチスイッチ５２の作用について説明する。図３（Ａ）（Ｂ）は、図１に対する操作図を示している。
【００５９】
図３（Ａ）に示されるように、検出シート１２の表面に指先Ｆを近接させると、指先Ｆと近接センサ６２との間に電界が生じ、近接センサ６２の帯電量が変化する。
【００６０】
この帯電量の変化が、パッド部７０を介して接続される検出ＩＣによって検出され、さらに、特定部が検出ＩＣの検出結果に基づいてタッチスイッチ５２に指先Ｆが近接したかを特定する。
【００６１】
さらに、図３（Ｂ）に示されるように、検出シート１２の表面を指先Ｆで押圧すると、複数のスペーサコラム８２で囲まれた部分の検出シート１２が、基礎シート１４側に変形する。検出シート１２が基礎シート１４側に変形することで、センサコラム７２に形成される導電層７４と、基礎シート１４に形成される導電層８４とが接触する。これにより、電流が導電層７４を通して導電層８４に流れることで（通電することで）、パッド部８０を介して接続される検出ＩＣが、指先Ｆがタッチスイッチ５２を押圧したことを検出する。さらに、特定部が検出ＩＣの検出結果に基づいてタッチスイッチ５２を指先Ｆで押圧したのかを特定する。
【００６２】
そして、パッド部８０に接続される特定部は、近接センサ６２の帯電量が変わり（出力信号が変わり）、かつ、導電層７４と導電層８４とが通電した場合に、そのタッチスイッチ５２における所定の機能を有効又は無効にする。所謂スイッチ機能が作動する。
【００６３】
以上説明したように、タッチスイッチ５２には、誘電体である指先Ｆ等がタッチスイッチ５２に近接した際に帯電量が変化（出力信号が変化）する近接センサ６２が配置されている。このため、例えば、誤って、誘電体ではない部材で、タッチスイッチ５２における検出シート１２の表面を押圧した際に、タッチスイッチの誤作動を抑制することができる。
【００６４】
また、スペーサコラム８２は、Ｚ方向から見て、センサコラム７２の周囲に複数配置されている。このため、タッチスイッチ５２おける検出シート１２の表面が指先Ｆ等で押圧されていな状態で、センサコラム７２の先端と導電層８４との間の隙間の寸法を、所定の値にすることができる。
【００６５】
また、タッチパネル１０は、タッチスイッチ５２を備えている。このように、通電することで検出するタッチスイッチ５２がタッチパネル１０に配置されることで、所定の機能を容易に有効又は無効にするスイッチ機能をタッチパネル１０に付加することができる。
【００６６】
また、スイッチ領域５４における検出シート１２の板厚は、検出領域５０における検出シート１２の板厚と比して、薄くされている。これにより、検出領域５０では、指先Ｆで検出シート１２を押圧しても検出シート１２が変形するのを抑制することができる（品質感が向上する）。また、タッチスイッチ５２においては、検出シート１２の表面を指先Ｆ等で押圧することで、容易にセンサコラム７２の先端と、導電層８４とを接触させることができる。
【００６７】
また、近接センサ６２、導電層７４、及びＩＴＯパターン２２は、同種の透明導電膜である。これにより、近接センサ６２、導電層７４、及びＩＴＯパターン２２を形成する際に、マスキングを用いることで同じ工程で、近接センサ６２、導電層７４、及びＩＴＯパターン２２を形成することができる。
【００６８】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、検出領域５０においては、誘電体である指先Ｆ等が検出シート１２の表面に近接したのを静電容量の変化によって検出したが、抵抗値等の変化によって検出してもよい。
【００６９】
また、上記実施形態では、センサコラム７２は、検出シート１２に黒色層６４及び樹脂層６６を介して固定され、導電層８４は、基礎シート１４の対向面１４Ａに形成されたが、センサコラムが基礎シート１４に固定され、導電層が検出シート１２に形成されてもよい。
【００７０】
また、上記実施形態では、液晶ディスプレイの光を、黒色層６４が形成されていないタッチスイッチ５２の中央部から透過させることで、タッチスイッチ５２の位置が容易に分かるようにしたが、別途設けたＬＥＤ等の発光体の光を、黒色層６４が形成されていないタッチスイッチ５２の中央部から透過させてもよい。
【００７１】
また、上記実施形態では、タッチスイッチ５２が、タッチパネル１０に備えられたが、タッチスイッチがタッチパネルとは別体で備えられてもよい。
【符号の説明】
【００７２】
１０        タッチパネル
１２        検出シート（第一基板の一例）
１４        基礎シート（第二基板の一例）
５０        検出領域
５２        タッチスイッチ
５４        スイッチ領域
６２        近接センサ
７２        センサコラム（突出部材の一例）
８２        スペーサコラム（隙間形成部材の一例）
８４        導電層（通電部材の一例）
【図１】
2015118737.tif 000003
【図２】
2015118737.tif 000004
【図３】
2015118737.tif 000005
【図４】
2015118737.tif 000006
【図５】
2015118737.tif 000007
【図６】
2015118737.tif 000008
【図７】
2015118737.tif 000009